(57)【特許請求の範囲】
【請求項１】
記録紙カセットの抜き差し方向と記録紙の給紙方向とが異なる記録装置であって、
記録装置本体に設けたガイドピンを通す溝が形成され、前記記録紙カセットを引き抜くと、前記溝に前記ガイドピンが嵌った状態で前記記録紙の戻し方向へ移動するスライダーと、
前記記録紙に押し当てられるピックアップローラおよびそのピックアップローラが取付けられる回転軸と、
前記スライダーの壁部の端部に一定長設けられたラックギアと、
前記回転軸に設けられ前記ラックギアと噛合可能なピニオンギヤとが前記記録紙カセットに設けられることを特徴とする記録装置。
【請求項２】
前記スライダーは断面L字形状の平板をなし、前記スライダーおよび前記記録紙カセットのトレイの底面に溝が形成され、前記記録装置本体に設けられたガイドピンが前記２つの溝に嵌め込まれることを特徴とする請求項１記載の記録装置。
【請求項３】
記録紙カセットの抜き差し方向と記録紙の給紙方向とが異なる記録装置の給紙機構であって、
記録装置本体に設けたガイドピンを通す溝が形成され、前記記録紙カセットを引き抜くと、前記溝に前記ガイドピンが嵌った状態で前記記録紙の戻し方向へ移動するスライダーと、
前記記録紙に押し当てられるピックアップローラおよびそのピックアップローラが取付けられる回転軸と、
前記スライダーの壁部の端部に一定長に設けられたラックギアと、
前記回転軸に設けられ前記ラックギアと噛合可能なピニオンギヤとが前記記録紙カセットに設けられることを特徴とする給紙機構。
【請求項４】
前記スライダーは断面L字形状の平板をなし、前記スライダーおよび前記記録紙カセットのトレイの底面に溝が形成され、前記記録装置本体に設けられたガイドピンが前記２つの溝に嵌め込まれることを特徴とする請求項３記載の給紙機構。
【発明の詳細な説明】
【技術分野】
【０００１】
本発明は、記録装置およびその給紙機構に関し、特に記録紙カセットを記録装置本体から引き抜く際にパッドとピックアップローラに噛みこまれた記録紙を記録紙カセット内に戻すことが可能な記録装置およびその給紙機構に関する。
【背景技術】
【０００２】
デジタルコピアやファクシミリあるいはプリンタ等の一般的な記録装置、すなわち、スキャナーやパーソナルコンピュータからの画像データを記録用紙に印字する記録装置であって、複数枚の記録用紙をセットできる記録紙カセットを有し、一番上の記録紙をピックアップローラとその下方に位置するパッドまたはローラとの摩擦力により下の用紙との分離および給紙を行い、特に、ピックアップローラとその下方に位置するパッドまたはローラの位置関係が常に一定の記録装置は知られている。
【０００３】
従来、この種の記録装置では、用紙はピックアップローラで給紙された後、ピックアップローラとは別に設けられた記録部へ送り出される。しかし、ピックアップローラの押圧は常に用紙に掛かっているため、搬送用ローラにより送り出されている用紙の後端がピックアップローラから完全に抜けるまではピックアップローラが連れ周りする。すなわち、搬送途中の用紙の後端が完全にピックアップローラから抜ける時には、次に給紙される用紙の先端はピックアップローラに噛まれた状態となる。
【０００４】
一方、この種の記録装置の一例として、用紙カセット（記録紙カセット）の給紙側にラックを設け、本体側の給紙ローラの軸には、ワンウエイクラッチおよびこのワンウエイクラッチによって駆動制御されるとともに、ラックと噛み合うピ二オンギヤを設けた画像形成装置が開示されている（例えば、特許文献１参照）。この装置において、ピ二オンギヤは、用紙カセットの取出し動作と連動して反給紙方向に回転する。一方、給紙ローラは、ピ二オンギヤに連れまわりし、給紙ローラと分離パッドにニップされた記録紙を用紙カセット内に引戻す。
【０００５】
【特許文献１】特開２００２−０８７６０３号公報（要約、段落００２６、図２および図３）
【発明の開示】
【発明が解決しようとする課題】
【０００６】
しかし、従来の記録装置では、用紙のサイズを変更する場合や、用紙の継ぎ足しを行なう場合には、給紙トレイを引き抜いた後、一番上の用紙をピックアップローラから引き戻し排除する必要があるという欠点があった。
【０００７】
一方、特許文献１記載の発明にはこの課題を解決する給紙機構が開示されている。しかし、特許文献１記載の発明では用紙分離機構（ピ二オンギヤ、ワンウエイクラッチおよび給紙ローラ）を装置本体側に設けているのに対し、本発明ではこれに相当する用紙分離機構を記録紙カセット側に設けている。
【０００８】
また、特許文献１記載の発明は給紙カセットの抜き差し方向と記録紙の給紙方向（すなわち、給紙ローラの回転方向）とが同じであるため、簡易なラックギヤとピニオンギヤ構成を採用することができる。しかしながら、給紙カセット挿入時および給紙動作時には駆動を伝えないようにするためのワンウエイクラッチを必要としている。また、特許文献１には記載されていないが、この発明では給紙カセットを抜き出す際には給紙ローラが逆回転するため、この駆動を給紙モーターのギヤ系へ伝えないようにする機構も必要となる。
【０００９】
これに対し、本発明は記録紙カセットの抜き差し方向と記録紙の給紙方向（すなわち、給紙ローラの回転方向）とが異なる（例えば、９０度）構成であるため、記録紙カセットの抜き差しの際に給紙ローラの駆動を制限する必要がなく、特許文献１記載の発明よりも簡易な構成を実現することが可能である。
【００１０】
以上述べたように、特許文献１記載の発明は本発明と構成が全く相違する。
【００１１】
そこで本発明の目的は、記録紙カセットの抜き差し方向と記録紙の給紙方向（すなわち、給紙ローラの回転方向）とが異なる記録装置およびその給紙機構であって、記録紙カセットを引き抜いた後、一番上の記録紙をピックアップローラから引き戻し排除する必要がない記録装置およびその給紙機構を提供することにある。
【課題を解決するための手段】
【００１２】
前記課題を解決するために、本発明による記録装置は、記録紙カセットの抜き差し方向と記録紙の給紙方向とが異なる記録装置であって、記録装置本体に設けたガイドピンを通す溝が形成され、前記記録紙カセットを引き抜くと、前記溝に前記ガイドピンが嵌った状態で前記記録紙の戻し方向へ移動するスライダーと、
前記記録紙に押し当てられるピックアップローラおよびそのピックアップローラが取付けられる回転軸と、前記スライダーの壁部の端部に一定長設けられたラックギアと、前記回転軸に設けられ前記ラックギアと噛合可能なピニオンギヤとが前記記録紙カセットに設けられることを特徴とする。
【００１３】
また、本発明による給紙機構は、記録紙カセットの抜き差し方向と記録紙の給紙方向とが異なる記録装置の給紙機構であって、記録装置本体に設けたガイドピンを通す溝が形成され、前記記録紙カセットを引き抜くと、前記溝に前記ガイドピンが嵌った状態で前記記録紙の戻し方向へ移動するスライダーと、前記記録紙に押し当てられるピックアップローラおよびそのピックアップローラが取付けられる回転軸と、前記スライダーの壁部の端部に一定長に設けられたラックギアと、
前記回転軸に設けられ前記ラックギアと噛合可能なピニオンギヤとが前記記録紙カセットに設けられることを特徴とする。
【００１４】
次に、本発明の作用を述べる。本発明は、記録紙カセットのトレイ上に、記録紙の給紙方向（ピックアップローラの回転方向）と同方向あるいは逆方向に摺動するスライダーが設けられている。ピックアップローラの回転軸にはピニオンギヤが設けられ、スライダーにはこのピニオンギヤと噛合するラックギヤが設けられている。一方、記録装置本体にはガイドピンが設けられ、スライダーにはトレイを介してこのガイドピンを通す溝が記録紙カセットの抜き差し方向と記録紙の給紙方向（ピックアップローラの回転方向）との中間の方向に形成されている。
【００１５】
この構成により、記録紙カセットを引き抜くと、その動作に応じてスライダーが摺動し、ピニオンギヤおよびラックギヤを介してピックアップローラが記録紙の給紙方向と逆方向に回転する。これにより、一番上の記録紙がピックアップローラからトレイ側へ引き戻される。
【発明の効果】
【００１６】
本発明によれば、上記構成を含むため、記録紙カセットを引き抜いた後、一番上の記録紙をピックアップローラから引き戻し排除する操作を省くことが可能となる。
【発明を実施するための最良の形態】
【００１７】
以下、本発明の実施例について添付図面を参照しながら説明する。図１は本発明に係る記録装置の記録紙カセットの一例の外観斜視図、図２は記録紙カセットを駆動構成側から見た外観斜視図である。
【００１８】
なお、本発明に係る記録装置の本体の構成は従来と同様であるため、以下の図における図示を省略する。
【００１９】
図１および図２を参照すると、記録装置に装着される記録紙カセット１０はトレイ１と、トレイ１上に図示しない記録紙を積載する押し上げ板２と、回転軸３と、回転軸３上に設けられ記録紙の給紙を行うピックアップローラ４と、下の記録紙との分離を行うパッド５と、回転軸３の一方の端部に設けられ記録紙の給紙を行う際の駆動を伝達する駆動ピン６と、回転軸３の一方の端部に駆動ピン６と隣接して設けられるピニオンギヤ７と、トレイ１に摺動自在に設けられるスライダー８と、スライダー８に設けられピニオンギヤ７と噛合するラックギア９とを含んで構成される。
【００２０】
また、トレイ１の図示しない記録装置本体側への挿入方向は図１の矢印Ａ方向であり、トレイ１の図示しない記録装置本体側からの引き抜き方向は図１の矢印Ｂ方向である。また、ピックアップローラ４の回転方向は給紙時が矢印Ｃ方向、記録紙の戻し時が矢印Ｄ方向である。さらに、記録紙の給紙方向は矢印Ｅ方向、記録紙の戻し方向は矢印Ｆ方向である。
【００２１】
図３は図１および図２の斜視図から便宜上押し上げ板２を省略した斜視図である。同図を参照すると、スライダー８のトレイ１の底面との接触面には溝８ａが形成され、その溝８ａには記録装置本体側に設けられたガイドピン２１が嵌め込まれている。その溝８ａはスライダー８の一端から回転軸３の伸張方向と平行に一定長形成され、その後一定の角度で記録用紙戻し方向Ｆに折り曲げて形成されている。
【００２２】
図４はトレイ１の一例の外観斜視図である。同図を参照すると、トレイ１にもガイドピン２１を嵌め込む溝１ａが形成されている。また、スライダー８を係止させるための溝１ｂも形成されている。
【００２３】
図５はスライダー８の一例の斜視図である。同図はラックギア９がスライダー８の壁部の端部に一定長設けられている場合を示している。スライダー８のトレイ１との接触面端部には突起８ｂおよび８ｃが設けられ、これら突起８ｂおよび８ｃがトレイ１の溝１ｂに嵌め込まれることにより、スライダー８はトレイ１上を摺動する。
【００２４】
図６はピックアップローラ４付近の構成の一例の詳細を示す図である。同図を参照すると、押し上げ板２とトレイ１の底面との間にスプリング２２が設けられ、パッド５とトレイ１の壁部端面との間にスプリング２３が設けられている。
【００２５】
次に、記録紙カセットの給紙機構の動作について説明する。記録紙は押し上げ板２の上に積載される。押し上げ板２はスプリング２２により押し上げられているため、記録紙はピックアップローラ４に押し当てられた状態となる。そして、外部からの駆動力が駆動ピン６および回転軸３を介してピックアップローラ４に伝達される。
【００２６】
ピックアップローラ４は図６に示すように、押し上げ板２（または押し上げ板２上に積載された記録紙）とパッド５との両方と接触しており、このパッド５により記録紙の重送を防止している。
【００２７】
一方、ピックアップローラ４中の記録紙の後端がパッド５を完全に抜け切るまでピックアップローラ４は回転するため、次に給紙される記録紙はパッド５とピックアップローラ４に噛みこまれた状態で停止する。
【００２８】
ここで、オペレータが記録紙カセット１０のトレイ１を引き抜くと、スライダー８が記録紙の戻し方向（図３の矢印Ｇ方向）へ移動する。これはスライダー８の溝８ａにガイドピン２１が嵌った状態でスライダー８が移動するためである。
【００２９】
一方、スライダー８にはラックギア９が設けられているため、これと噛合するピニオンギヤ７が記録紙の戻し方向（図３の矢印Ｄ方向）に回転し、これとともにピックアップローラ４もピニオンギヤ７と同方向に回転し、記録紙がトレイ１内に引き戻される。
【００３０】
このように、オペレータが記録紙カセット１０のトレイ１を引き抜く際だけ記録紙がトレイ１内に引き戻される。
【００３１】
以上説明したように、本発明によれば、オペレータが記録紙カセット１０のトレイ１を引き抜く際だけ記録紙がトレイ１内に引き戻されるため、オペレータが記録紙のサイズを変更する場合や、記録紙の継ぎ足しを行なう場合に、一番上の記録紙をピックアップローラ４から引き戻し解除する操作を省くことが可能となる。
【００３２】
また、ピックアップローラ４の回転機構を数個のギヤ構成のみとし、駆動動力源をトレイ１の抜き差し動作に連動させることで、簡易かつ安価な記録装置およびその給紙機構を提供することが可能となる。
【００３３】
なお、本実施例ではピックアップローラ４の駆動力を記録紙カセット１０のトレイ１の引き抜きに連動させたが、通常の給紙動作に用いている図示しない外部駆動力を用い、ピックアップローラ４を反転させることも可能である。
【図面の簡単な説明】
【００３４】
【図１】本発明に係る記録装置の記録紙カセットの一例の外観斜視図である。
【図２】記録紙カセットを駆動構成側から見た外観斜視図である。
【図３】図１および図２の斜視図から便宜上押し上げ板２を省略した斜視図である。
【図４】トレイ１の一例の外観斜視図である。
【図５】はスライダー８の一例の斜視図である。
【図６】ピックアップローラ４付近の構成の一例の詳細を示す図である。
【符号の説明】
【００３５】
１  トレイ
１ａ，１ｂ  溝
２  押し上げ板
３  回転軸
４  ピックアップローラ
５  パッド
６  駆動ピン
７  ピニオンギヤ
８  スライダー
８ａ  溝
８ｂ，８ｃ  突起
９  ラックギア
１０  記録紙カセット
２１  ガイドピン
２２，２３  スプリング
【図１】
0004502966.tif 000002
【図２】
0004502966.tif 000003
【図３】
0004502966.tif 000004
【図４】
0004502966.tif 000005
【図５】
0004502966.tif 000006
【図６】
0004502966.tif 000007